【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
画面の表示内容を切り替えて、複数の加工条件からなる複数の加工メニューを表示し、表示した複数の加工メニューの加工を実施する手段を備えた画像形成装置において、複数の加工条件からなる加工メニューを表示する画面を表示し、表示した画面の加工メニューを変更した後も、画面の変更前と同一加工条件の加工メニューを変更後の画面にも表示する加工メニューの指示部の手段を備えた画像形成装置。
【請求項２】
複数の加工メニューの指示部を、同一位置に同一形態で、複数の画面内に備え、一つの指示で使用者が選択した加工メニューの指示部の加工メニューの選択或は選択及び実施をする手段を備えた請求項１の画像形成装置。
【請求項３】
加工メニューの指示部を、複数の加工条件からなる加工メニューを表示しない画面にも備えた請求項１、２の画像形成装置。
【手続補正２】
【補正対象書類名】明細書
【補正対象項目名】全文
【補正方法】変更
【補正の内容】
【発明の詳細な説明】
【発明の名称】画像形成装置
【技術分野】
【０００１】
コピー機能やスキャナー機能等の複数の画像形成機能を装備した画像形成装置に関する。
【背景技術】
【０００２】
現在のコピー機能やスキャナー機能等の複数の画像形成機能を装備した画像形成装置は、使用者が選択できる加工条件を多く備えており、この多くの加工条件からなるメニューを実施する為に、この画像形成装置の一つの操作盤上に、多くのキーを並べてこの加工を管理する事は、不明瞭となり、不便である。
【０００３】
現在の画像形成装置の主流の技術となっている画面の表示手段（例えば、非特許文献１など）は、先ず、例えば、コピーやスキャナーなどの機能を選択する為の画面を表示し、画面を切り替えて、必要とする、例えば、倍率や用紙サイズなどの複数の加工条件からなる個々のコピーメニューの画面を取り出し、表示する手段であり、複雑な表示内容を解り易く整理し、便利にする手段である。
【０００４】
反面、この現在の画像形成装置の主流の技術となっている画面の表示手段（例えば、非特許文献１など）に、表示される倍率が１００％、用紙サイズが自動などの加工条件からなる基本コピーメニューやその他のコピーメニューの実施は、次の欠点を所有する。
【０００５】
（１）、先ず、画面を表示し、必要なメニューの画面に切り替えて表示する手段であり、電源をＯＮ後の、一度の画面表示で希望するメニューを取り出す事が出来ない欠点を所有する。
【０００６】
（２）、更に、この基本コピーメニューの画面は、ホーム画面のコピー機能選択の指示部を選択すると自動で表示され、画面内容を目視確認後、開始ボタンの押し下げで、コピーを行なう事が出来る技術であるが、この画面の中に表示された基本コピーメニューは、開始ボタンを押し下げるまでは、確定されたメニューで無い為、前使用者が変更したメニューに気がつかず、後使用者が誤指示を出す可能性がある技術である。或いは、使用者が前に変更したメニューを忘れ、後で使用者が誤指示を出す可能性がある技術である。
【０００７】
詳しく、これを著すと、例えば、電源スイッチを「ＯＮ」→ホーム画面の自動表示→コピー機能選択の指示部の選択→基本コピーメニューの画面の自動表示→使用者Ａによるメニューの変更（登録コピーＡ画面）→使用者Ｂによるメニューの変更（登録コピーＢ画面）→電源スイッチをＯＦＦ。電源スイッチを「ＯＮ」→ホーム画面の自動表示→コピー機能選択の指示部の選択→基本コピーメニューの画面の自動表示→使用者Ａによるメニューの変更（登録コピーＡ画面）→使用者Ｂによるメニューの変更（登録コピーＢ画面）………に於いて、
「基本コピーのつもりで開始ボタンを押したが、登録コピーＡ或は登録コピーＢが実施された」、「登録コピーＡのつもりで開始ボタンを押したが、基本コピー或は登録コピーＢが実施された」、などと、使用者の意思に関係なく、１つの設定場所（画面）でメニュー内容が人為的、自動的に変化し、簡単にコピーミスを誘発する要因を作り出している。
【０００８】
又、この基本コピーメニューの画面を切り替えて、他のコピーメニューの画面を表示後、再び、基本コピーメニューの加工を実施する場合は、この表示した他のコピーメニューの画面を閉じ、再び、この基本コピーメニューの画面を表示する等の手間を要する。
【０００９】
これらの基本コピーメニューに関するコピーミスや基本コピーメニューを取り出す為の手間は、日々、最も多く使用されるコピーメニューに関しており、深刻な問題である。
【００１０】
特許文献１の技術は、倍率が１００％、用紙サイズが自動などの加工条件からなる原稿優先コピーメニューや、用紙サイズを指定後、倍率を自動設定する用紙優先コピーメニューの選択と確定と開始の指示を一つで実施する手段であり、この技術の利用は、現在の画像形成装置の主流の技術（例えば、非特許文献１など）の欠点を解消する事が出来る指示手段であるが、この指示手段は、現在の画像形成装置の主流の技術（例えば、非特許文献１など）の画面を設けた画像形成装置に備える事を想定していない。
【００１１】
仮に、特許文献１の技術を、現在の画像形成装置の主流の技術（例えば、非特許文献１などの技術）に備える事を想到できたとしても、現在の画像形成装置の主流の技術（たとえば、非特許文献１などの技術）の画面表示の目的や実施の形態などの特性（コピーメニューの加工を実施する為の多くのキーやコピーメニューの加工内容を示す多くの表示部などを画面内に収め、画面を表示し、適宜に画面を切り替えて、希望するメニューの画面を分かり易く表示し、実施する手段。）を勘案すれば、特許文献１の技術を、表示内容を切り替えた複数の画面内に備える事を想定する事はできない。
【００１２】
同様に、画像形成装置の使用者が設定した倍率や用紙サイズなどの加工条件を登録した登録コピーメニューも、表示内容を切り替えた複数の画面内に備える事を想定する事はできない。
【００１３】
同様に、前記の画面表示手段を備えた画像形成装置において、スキャン、ファクス、プリントを行なう技術も、画面から、画面を順次、表示し、手間を要する技術であり、表示内容を切り替えた複数の画面内に備える事を想定する事はできない。
【先行技術文献】
【特許文献】
【００１４】
【特許文献１】特開Ｓ６２−８１６６２号公報
【非特許文献】
【００１５】
【非特許文献１】ＦｕｊｉＸｅｒｏｘＤｏｃｕＣｅｎｔｒｅＩＶＣ３３７５説明書
【発明の概要】
【発明が解決しようとする課題】
【００１６】
本願発明の「発明が解決しようとする課題」の要約は、前記の「背景技術」で挙げた現在の画像形成装置の主流の技術となっている画面の表示手段を備えた画像形成装置（例えば、非特許文献など）の欠点を解決する事にある。
【００１７】
即ち、本発明の要約は、
（１）、多くのメニューに対応する為に、
（２）、画面を、加工メニューの画面に切り替えて、表示し、実施する手段と………、
（３）、加工メニューの選択と確定或は選択と確定と開始の指示を一つで実施する手段を備えた画像形成装置に於いて………、
【００１８】
（１１）、加工メニュー（基本コピーメニュー、登録コピーメニュー、用紙優先コピーメニューなど）を実施する為の画面に切り替えるのを不要とし、加工メニュー（基本コピーメニュー、登録コピーメニュー、用紙優先コピーメニューなど）の選択と確定或は選択と確定と開始の指示を、一つの指示で、実施できる手段の提供。………にある。
【００１９】
（１２）この手段は、例えば、表示内容を切り替えた複数の画面内に、同一加工条件の複数の加工メニューの指示部手段を備え、この加工メニューの指示部を設定した画面が表示された状態に於いて、一つの指示で、倍率や用紙サイズなどの加工条件からなるコピーメニューの加工の選択及び確定又は選択及び確定及び開始をする為の手段を備えた画像形成装置の提供。………にある。
【００２０】
これらの手段の提供により、
（２１）、画面切り替えを不要とし、現在の画像形成装置の主流の技術（例えば、非特許文献１など）と比較して、作業の手間や時間や電力を減らし、
（２２）、人為的、自動的に加工内容を変更する余地を無くし、現在の画像形成装置の主流の技術（例えば、非特許文献１など）の指示ミスを誘発するのを防止する手段の提供である
【課題を解決するための手段】
【００２１】
請求項１の発明は、画面の表示内容を切り替えて、複数の加工条件からなる複数の加工メニューを表示し、表示した複数の加工メニューの加工を実施する手段を備えた画像形成装置において、複数の加工条件からなる加工メニューを表示する画面を表示し、表示した画面の加工メニューを変更した後も、画面の変更前と同一加工条件の加工メニューを変更後の画面にも表示する加工メニューの指示部の手段を備えた画像形成装置である。
【００２２】
請求項２の発明は、複数の加工メニューの指示部を、同一位置に同一形態で、複数の画面内に備え、一つの指示で使用者が選択した加工メニューの指示部の加工メニューの選択或は選択及び実施をする手段を備えた請求項１の画像形成装置である。
【００２３】
請求項３の発明は、加工メニューの指示部を、複数の加工条件からなる加工メニューを表示しない画面にも備えた請求項１、２の画像形成装置である。
【００２４】
【００２５】
【発明の効果】
【００２６】
概しては、「発明が解決しようとする課題」の要約で挙げた通り、「背景技術」で挙げた問題を解決する。
【００２７】
即ち、例えば、先ず、コピーやスキャナーなどの機能を選択する為の画面を表示し、画面を切り替えて、必要とする加工メニュー（例えば、倍率が１００％、用紙サイズが自動などの加工条件からなる基本コピーメニューなど）の画面を取り出し表示する、現在の主流の技術となっている画面の表示手段を備えた画像形成装置において、………
不要な画面の表示の切り替えを無くし、一つの指示により、加工内容を選択し確定或いは選択し確定し開始する指示手段を設ける事により、倍率、用紙サイズなどの加工条件からなる加工メニューの加工内容を人為的、自動的に変更する余地をなくし、使用者が気づかぬ間に、予定した加工メニューが勝手に変更され、簡単に加工内容の指示ミスを誘発するのを防止し、不要な手間や電力や時間を無くす。
【図面の簡単な説明】
【００２８】
【図１】コピーの実施手順を示す概略図。
【発明を実施するための形態】
【００２９】
図１は、現在の画像形成装置の主流の技術（例えば、非特許文献１など）を基に、本発明の概略を示す為の代表図であり、表示内容の全面を切り替えた複数の画面を示している。
図例では、電源をＯＮ→ホーム画面１１→基本コピーメニューの画面１２→倍率選択の画面１３の、画面表示の流れを示している。
更に、複数の画面１１、１２、１３のそれぞれの画面内には、加工メニューの指示部２である倍率が１００％、用紙サイズが自動などの加工条件のメニューを実施する為の基本コピーメニューの指示部２ａ、２ｂ、２ｃを設けている。
【００３０】
図１の代表図において、基本コピーメニューの実施は、基本コピーメニューの指示部２ａ、２ｂ、２ｃの設置により、ホーム画面１１からでも、基本コピーメニューの画面１２からでも、倍率選択の画面１３からでも、基本コピーメニューの指示部２ａ、２ｂ、２ｃの選択だけ、或いは、基本コピーメニューの指示部２ａ、２ｂ、２ｃの選択と開始ボタンの選択だけで行われる事を示している。
【００３１】
即ち、図１の代表図において、基本コピーメニューの実施は、ホーム画面１１を基本コピーメニューの画面１２に切り替える必要がなく、又、基本コピーメニューの画面１２の加工条件を他の加工条件に変更をしたままの状態からでも、又、倍率選択の画面１３から基本コピーメニューの画面１２に戻す必要がなく、基本コピーメニューの指示部２ａ、２ｂ、２ｃを設定した画面１１、１２、１３のいずれかが表示状態にあれば、基本コピーメニューの指示部２ａ、２ｂ、２ｃの一つの指示で、基本コピーメニューの加工の選択及び確定又は選択及び確定及び開始をする事を示す。
【００３２】
即ち、図１の代表図において、請求項１の発明は、「画面１１の表示内容を切り替えて、複数の加工条件からなる複数の加工メニューを表示し、表示した複数の加工メニューの加工を実施する手段を備えた画像形成装置において、複数の加工条件からなる加工メニューを表示する画面１２、１３を表示し、表示した画面の加工メニューを変更した後も、画面の変更前と同一加工条件の加工メニューを変更後の画面にも表示する加工メニューの指示部２の手段を備えた画像形成装置」である。
【００３３】
又、図１の代表図において、請求項２の発明は、「複数の加工メニューの指示部２を、同一位置（画面右下）に同一形態（「基本コピー、倍率１００％、用紙サイズ自動」の表記で、同一サイズ）で、複数の画面内１２、１３に備え、一つの指示で使用者が選択した加工メニューの指示部２の加工メニューの選択或は選択及び実施をする手段を備えた請求項１の画像形成装置」である。
【００３４】
請求項３の発明は、「加工メニューの指示部２を、複数の加工条件からなる加工メニューを表示しない画面１１にも備えた請求項１、２の画像形成装置」である。
【００３５】
尚、本発明は、「倍率や用紙サイズなどの加工条件を画像形成装置の使用者が設定した登録コピーメニューの加工メニューの指示部手段を備えた画像形成装置。」が可能であり、図示を省略するが、基本コピーメニューの指示部手段の実施に準じた要領で実施される。
【００３６】
尚、本発明は、「用紙サイズを指定後、倍率を自動設定する用紙指定コピーメニューの加工メニューの指示部手段を備えた画像形成装置。」が可能であり、図示を省略するが、基本コピーメニューの指示部手段の実施に準じた要領で実施される。
【００３７】
尚、加工メニューの指示部の非表示、表示の切り替え手段を設ける事が可能であり、例えば、加工メニューの指示部の画面外にドラッグと画面内にドラッグ、加工メニューの指示部の通常タッチより長い時間のタッチ（例えば５秒間程度のタッチ）と画面端付近の通常タッチより長い時間のタッチ（例えば５秒間程度のタッチ）、或いは、別画面、画面外などに、非表示、表示の切り替え手段を備える事により実施される。
【００３８】
尚、加工メニューの指示部の設置位置の移動手段を設ける事が可能であり、例えば、加工メニューの指示部の画面内の移動位置にドラッグ、或いは、別画面、画面外などに、移動手段を備える事により実施される。
【００３９】
尚、図例では、画面内に設置した加工メニューの指示部を、基本コピーメニューの指示部の単独で示しているが、基本コピーメニューの指示部、登録コピーメニューの指示部、用紙優先コピーメニューの指示部、その他の指示部などを併設する事が可能である。
【符号の説明】
【００４０】
１      コピー機能選択の指示部
２      加工メニューの指示部
（２ａ  基本コピーメニューの指示部）
（２ｂ  基本コピーメニューの指示部）
（２ｃ  基本コピーメニューの指示部）
３      その他の倍率の指示部
１１    ホーム画面
１２    基本コピーメニューの画面（加工メニューの画面）
１３    倍率選択の画面（加工メニューの画面）
【手続補正３】
【補正対象書類名】図面
【補正対象項目名】図１
【補正方法】変更
【補正の内容】
【図１】
2015109531.tif 000001